(57)【要約】【課題】洗濯で使用した水を利用し、乾燥フィルタから除去したリントによる排水経路の詰りを防止する。【解決手段】回転槽４内に乾燥用空気を導入する循環風路２１と、前記循環風路２１に送風する送風手段２３と、前記回転槽４内に導入する乾燥用空気を除湿する除湿手段２５と、前記除湿手段２５で除湿した乾燥用空気を加熱する加熱手段２４と、前記循環風路２１を通る乾燥用空気に含まれるリントを捕捉する乾燥フィルタ２２と、前記乾燥フィルタ２２で捕捉したリントを前記乾燥フィルタ２２から除去するリント除去手段２９と、前記リント除去手段２９で除去したリントを粉砕するリント粉砕手段３１とを備え、前記リント粉砕手段３１で粉砕したリントを水槽１内の洗濯水で排出するようにしたものである。【選択図】図１
2014057706.tif 000002
【特許請求の範囲】
【請求項１】
筐体内に弾性支持した水槽と、
前記水槽内に回転可能に設けた回転槽と、
前記回転槽を回転駆動するモータと、
前記水槽内に洗濯水を供給する洗濯給水手段と、
前記水槽内の洗濯水を排水する洗濯排水手段と、
前記洗濯排水手段を介して前記水槽内の洗濯水を前記筐体外へ排出する洗濯排水経路と、前記回転槽内に乾燥用空気を導入する循環風路と、前記循環風路に送風する送風手段と、前記回転槽内に導入する乾燥用空気を除湿する除湿手段と、
前記除湿手段で除湿した乾燥用空気を加熱する加熱手段と、
前記循環風路を通る乾燥用空気に含まれるリントを捕捉する乾燥フィルタと、
前記乾燥フィルタで捕捉したリントを前記乾燥フィルタから除去するリント除去手段と、前記リント除去手段で除去したリントを粉砕するリント粉砕手段と、
洗濯および乾燥運転を制御する制御手段とを備え、
前記リント粉砕手段で粉砕したリントを前記水槽内の洗濯水で排出するようにした洗濯乾燥機。
【請求項２】
水槽内の洗濯水をリント粉砕手段に送水する送水ポンプを設け、前記送水ポンプにより前記リント粉砕手段に前記水槽内の洗濯水を供給してリントを排出するようにした請求項１記載の洗濯乾燥機。
【請求項３】
制御手段は、リント粉砕手段で粉砕したリントを、すすぎ時の洗濯水で排出するようにした請求項１または２記載の洗濯乾燥機。
【請求項４】
循環風路に設けた乾燥フィルタと、リント除去手段で除去したリントを粉砕するリント粉砕手段を水槽の下方に配設し、前記リント粉砕手段に前記水槽内の洗濯水を供給してリントを排出するようにした請求項１〜３のいずれか１項に記載の洗濯乾燥機。
【請求項５】
洗濯排水経路は、洗い時の洗濯水を排水する洗濯排水路と、すすぎ時の洗濯水を排水するすすぎ排水路を設け、リント粉砕手段で粉砕したリントを前記すすぎ排水路を通してすすぎ時の洗濯水で排出するようにした請求項１〜４のいずれか１項に記載の洗濯乾燥機。
【請求項６】
すすぎ排水路に乾燥フィルタを設け、すすぎ時の洗濯水により、前記乾燥フィルタで捕捉したリントを前記乾燥フィルタから除去するとともに、リント粉砕手段で粉砕したリントを排出するようにした請求項５記載の洗濯乾燥機。
【請求項７】
リント粉砕手段に水位検知手段を設け、制御手段は、前記水位検知手段が所定の水位を検知すると洗濯水の排水を停止するようにした請求項１〜６のいずれか１項に記載の洗濯乾燥機。
【請求項８】
すすぎ排水路に洗濯排水路からの逆流を防止する逆止弁を設け、前記逆止弁をリント粉砕手段の下流側に配設した請求項５〜７のいずれか１項に記載の洗濯乾燥機。
【発明の詳細な説明】
【技術分野】
【０００１】
本発明は、衣類等の洗濯と乾燥が行える洗濯乾燥機に関するものである。
【背景技術】
【０００２】
従来、この種の洗濯乾燥機は、乾燥運転中に衣類から出たリントを捕捉する乾燥フィルタが設けられている。リントは乾燥工程中に徐々に乾燥フィルタに捕捉されて堆積し、目詰まりが生じて風量が減少することから、乾燥フィルタで捕捉したリントを水で洗い流すことが考えられている（例えば、特許文献１参照）。
【０００３】
図６は、特許文献１に記載された従来の洗濯乾燥機を示すものである。図６において、筐体７１内に水槽７２が弾性支持され、水槽７２内に円筒状の回転槽７３が回転可能に設けられている。回転槽７３は、水槽７２の後面外部に取り付けたモータ７４によって回転駆動される。回転槽７３の周側面に多数の孔７５を設けて水槽７２と連通している。回転槽７３は、洗濯時は洗濯室として機能し、乾燥時は乾燥室として機能する。水槽７２内の洗濯水は、底部に設けた排水口７６から排水管７７を通り、排水弁７８、排水フィルタ７９を経て排出され、機外の排水トラップ８０に至る。
【０００４】
筐体７１内の下部に送風手段８１が配設され、乾燥運転時に、循環風路８２を通して乾燥用空気を水槽７２の前部に設けた送風口８３から回転槽７３内に送風する。循環風路８２内には、ヒートポンプ装置の蒸発器８４と凝縮器８５が配設され、衣類と接触して湿った乾燥用空気は、回転槽７３から流出して循環風路８２に入り、蒸発器８４で冷却除湿された後、凝縮器８５で加熱され、高温の乾いた乾燥用空気となって回転槽７３へ矢印方向に循環するように構成している。
【０００５】
乾燥運転時に、衣類等から発生したリントが乾燥用空気とともに送風され、循環風路８２に設けた送風手段８１等に付着堆積して、その機能を低下させる原因となるため、乾燥用空気からリントを捕捉する乾燥フィルタ８６を循環風路８２に設け、送風手段８１の風上側に配設している。
【０００６】
乾燥運転の進行にともない、乾燥フィルタ８６にリントが堆積して循環風量が減少するため、注水管８７から乾燥フィルタ８６面に沿って注水し、捕捉したリントを洗い流すようにしている。リントの洗い流しは乾燥運転終了後に行われ、洗い流した水とリントは、排水路８８を通り排水弁７８を介して排水管７７から機外へ排出される。
【先行技術文献】
【特許文献】
【０００７】
【特許文献１】特開２００６−１８７４４９号公報
【発明の概要】
【発明が解決しようとする課題】
【０００８】
しかしながら、前記従来の構成では、注水管からの注水で乾燥フィルタから洗い流されたリントは、排水管および排水路を含む排水経路で詰り易いという問題がある。排水経路には、洗濯排水に含まれるリント等と、乾燥フィルタから洗い流したリントを捕捉する排水フィルタが設けてあり、排水フィルタで捕捉したリント等は、排水経路から排水フィルタを取り外して廃棄する。排水経路には、排水フィルタの上流側に排水弁が設けてあり、排水動作に応じて開閉し、排水フィルタの取外し時に、排水経路からの水漏れを防止するようにしている。排水経路を流れるリントは、排水経路を開閉する排水弁で詰り易く、排
水弁の動作に支障をきたして排水経路の開閉を不確実にする。
【０００９】
特に、乾燥フィルタに捕捉されるリントは、乾燥運転時に、循環する乾燥風によりフィルタ面に押圧されて集結し、膜状に堆積する。乾燥フィルタに堆積したリントは、一般的に乾燥運転後に除去される。乾燥運転後のリントは、乾いた状態でフィルタ面に固着しているため、注水によってフィルタ面に張り付いたリントを分散させて流すことが難しく、張り付いたリントをフィルタ面から剥がすために、勢いよく多量の水を注水する必要がある。リントが塊でフィルタ面から離脱すると、排水経路がリントで詰り易く、また、リントは浮力が大きいため、離脱したリントによる排水経路の詰りを防止するために、リントを流すときの水量が多くなるという課題があった。
【００１０】
本発明は、前記従来の課題を解決するもので、洗濯で使用した水を利用し、乾燥フィルタから除去したリントによる排水経路の詰りを防止するようにした洗濯乾燥機を提供することを目的とする。
【課題を解決するための手段】
【００１１】
前記従来の課題を解決するために、本発明の洗濯乾燥機は、回転槽内に乾燥用空気を導入する循環風路と、前記循環風路に送風する送風手段と、前記回転槽内に導入する乾燥用空気を除湿する除湿手段と、前記除湿手段で除湿した乾燥用空気を加熱する加熱手段と、前記循環風路を通る乾燥用空気に含まれるリントを捕捉する乾燥フィルタと、前記乾燥フィルタで捕捉したリントを前記乾燥フィルタから除去するリント除去手段と、前記リント除去手段で除去したリントを粉砕するリント粉砕手段とを備え、前記リント粉砕手段で粉砕したリントを水槽内の洗濯水で排出するようにしたものである。
【００１２】
これによって、乾燥フィルタから除去し粉砕したリントを、洗濯で使用した洗濯水で排出することができ、リントによる排水経路の詰りを防止することができるとともに、洗濯後の捨てられる洗濯水を有効に利用して、水道水の使用量を少なくすることができる。
【発明の効果】
【００１３】
本発明の洗濯乾燥機は、洗濯水を利用してリントを排出することができるとともに、乾燥フィルタから除去したリントによる排水経路の詰りを防止することができる。
【図面の簡単な説明】
【００１４】
【図１】本発明の実施の形態１における洗濯乾燥機の構成図
【図２】同洗濯乾燥機の乾燥フィルタの一部切欠背面側斜視図
【図３】同洗濯乾燥機の乾燥フィルタの一部切欠正面側斜視図
【図４】同洗濯乾燥機の乾燥フィルタの要部断面図
【図５】本発明の実施の形態２における洗濯乾燥機の構成図
【図６】従来の洗濯乾燥機の構成図
【発明を実施するための形態】
【００１５】
第１の発明は、筐体内に弾性支持した水槽と、前記水槽内に回転可能に設けた回転槽と、前記回転槽を回転駆動するモータと、前記水槽内に洗濯水を供給する洗濯給水手段と、前記水槽内の洗濯水を排水する洗濯排水手段と、前記洗濯排水手段を介して前記水槽内の洗濯水を前記筐体外へ排出する洗濯排水経路と、前記回転槽内に乾燥用空気を導入する循環風路と、前記循環風路に送風する送風手段と、前記回転槽内に導入する乾燥用空気を除湿する除湿手段と、前記除湿手段で除湿した乾燥用空気を加熱する加熱手段と、前記循環風路を通る乾燥用空気に含まれるリントを捕捉する乾燥フィルタと、前記乾燥フィルタで捕捉したリントを前記乾燥フィルタから除去するリント除去手段と、前記リント除去手段で除去したリントを粉砕するリント粉砕手段とを備え、前記リント粉砕手段で粉砕したリ
ントを前記水槽内の洗濯水で排出するようにしたことにより、乾燥フィルタから除去し粉砕したリントを洗濯で使用した洗濯水で機外へ排出することができ、水道水等を新たに給水する必要がなく、洗濯後の捨てられる洗濯水を有効に利用して節水することができるとともに、リントによる排水経路の詰りを防止することができる。
【００１６】
第２の発明は、特に、第１の発明において、水槽内の洗濯水をリント粉砕手段に送水する送水ポンプを設け、前記送水ポンプにより前記リント粉砕手段に前記水槽内の洗濯水を供給してリントを排出するようにしたことにより、リント粉砕手段から流出する洗濯水の流速を最適に設定することができ、粉砕したリントを円滑に排出することができる。
【００１７】
第３の発明は、特に、第１または第２の発明の制御手段は、リント粉砕手段で粉砕したリントを、すすぎ時の洗濯水で排出するようにしたことにより、洗濯水に含まれる洗剤等がリント粉砕手段に流入し堆積するのを防止することができる。
【００１８】
第４の発明は、特に、第１〜第３のいずれか１つの発明において、循環風路に設けた乾燥フィルタと、リント除去手段で除去したリントを粉砕するリント粉砕手段を水槽の下方に配設し、前記リント粉砕手段に前記水槽内の洗濯水を供給してリントを排出するようにしたことにより、水槽から排出された洗濯水が排水路を流れる水流によってリントを排出することができる。
【００１９】
第５の発明は、特に、第１〜第３のいずれか１つの発明において、洗濯排水経路は、洗い時の洗濯水を排水する洗濯排水路と、すすぎ時の洗濯水を排水するすすぎ排水路を設け、リント粉砕手段で粉砕したリントを前記すすぎ排水路を通してすすぎ時の洗濯水で排出するようにしたことにより、洗濯水に含まれる洗剤等がリント粉砕手段に流入し堆積するのを防止することができる。
【００２０】
第６の発明は、特に、第５の発明において、すすぎ排水路に乾燥フィルタを設け、すすぎ時の洗濯水により、前記乾燥フィルタで捕捉したリントを前記乾燥フィルタから除去するとともに、リント粉砕手段で粉砕したリントを排出するようにしたことにより、乾燥フィルタからのリントの除去と粉砕したリントの排出を、すすぎ時の洗濯水で行うことができるとともに、汚れや洗剤等が除去されたすすぎ時の洗濯水で、乾燥フィルタからリントを除去することができるので、洗濯水に含まれる汚れや洗剤等が乾燥フィルタに残留するのを防止することができる。
【００２１】
第７の発明は、特に、第１〜第６のいずれか１つの発明において、リント粉砕手段に水位検知手段を設け、制御手段は、前記水位検知手段が所定の水位を検知すると洗濯水の排水を停止するようにしたことにより、洗濯水がリント粉砕手段から溢れて循環風路に流入するのを防止することができる。
【００２２】
第８の発明は、特に、第３〜第５のいずれか１つの発明において、すすぎ排水路に洗濯排水路からの逆流を防止する逆止弁を設け、前記逆止弁をリント粉砕手段の下流側に配設したことにより、洗濯で使用した洗濯水が、排水時にすすぎ排水路へ逆流するのを防止することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における洗濯乾燥機の構成図、図２は、同洗濯乾燥機の乾燥フィルタの一部切欠背面側斜視図、図３は、同乾燥フィルタの一部切欠正面側斜
視図、図４は、同乾燥フィルタの要部断面図である。
【００２５】
図１〜図４において、水槽１は、洗濯乾燥機の筐体２の内部で複数のサスペンション機構３により弾性的に支持されている。回転槽４は、正面側に洗濯物５を出し入れする投入口６を有し、有底筒状に構成して水槽１内に配設されている。回転槽４は、回転軸４ａで回転可能に設けられ衣類等の洗濯物５を収容する。
【００２６】
回転槽４の周側壁７には全周に亘って多数の孔８を設け、回転槽４の周側壁７の内方には、洗濯物５を回転槽４の回転方向へ持ち上げるための撹拌バッフル９を備えている。水槽１と回転槽４と回転軸４ａは、水平に対して角度θ（例えば、１０〜２０°）で前上がりに傾けて設けられている。
【００２７】
水槽１の後面側の外部には、回転槽４を回転駆動するモータ１０が設けてあり、回転槽４を正逆回転させるようになっている。モータ１０は、ブラシレス直流モータ等で構成され、インバータ制御によって回転速度が自在に変化できるようにしている。筐体２の前面には、投入口６を開閉する扉体１１が設けられている。投入口６と対向する水槽１の開口部１ａは、伸縮自在な可撓性のパッキン１２によって筐体２と気密に連結されている。
【００２８】
扉体１１を閉じると、水槽１の開口部１ａに設けられたパッキン１２が扉体１１の内面に密接し、水槽１内は水密、気密空間になって、洗濯、すすぎ、脱水、乾燥の各工程を実行する際に、水や空気が外部に漏れないようにしている。
【００２９】
筐体２内には、洗濯給水弁（洗濯給水手段）１３が設けられ、洗濯給水弁１３は、洗剤ケース（図示せず）を介して水槽１に連通する洗濯給水経路１４に設けられている。洗濯給水弁１３を開閉することにより、水槽１内への水道水の給水と停止をおこなうことができる。
【００３０】
また、水槽１の底部に設けた排水孔１５には、洗濯排水経路１６が接続されており、洗濯排水弁（洗濯排水手段）１７が設けられている。洗濯排水弁１７を開閉することにより水槽１内の洗濯水の排水と停止をおこなうことができる。洗濯排水経路１６には、洗濯排水弁１７の下流側に排水フィルタ１８を設けている。
【００３１】
水槽１の上方前部の周側壁７に排出口１９を設け、水槽１の背面部に送風口２０を設けている。排出口１９と送風口２０は、水槽１の外部上方の前面側から後面側に向けて延設した循環風路２１で連通接続されている。
【００３２】
循環風路２１には、乾燥用空気とともに循環風路２１を通過するリントを捕捉する乾燥フィルタ２２と、乾燥用空気を回転槽４に供給する送風手段２３と、乾燥用空気の除湿および加熱を行うヒートポンプ装置の放熱器（加熱手段）２４と、吸熱器（除湿手段）２５を設けている。
【００３３】
送風手段２３は、翼形状を有する送風ファン２３ａと、送風ファン２３ａを回転駆動するファンモータ２３ｂで構成されている。送風手段２３により送風される乾燥用空気は、送風口２０から回転槽４内に送風される。
【００３４】
回転槽４の孔８から水槽１内に排出される乾燥用空気は、矢印イで示すように、排出口１９から循環風路２１に流入し、乾燥フィルタ２２、ヒートポンプ装置の吸熱器２５、放熱器２４、送風手段２３、送風口２０を経て、回転槽４に循環する構成になっている。
【００３５】
ヒートポンプ装置は、冷媒を圧縮する圧縮機（図示せず）と、圧縮後の高温高圧の冷媒
の熱を放熱する放熱器（加熱手段）２４と、高圧の冷媒の圧力を減圧するためのキャピラリーチューブからなる絞り手段（図示せず）と、減圧されて低圧となった冷媒が周囲から熱を奪う吸熱器（除湿手段）２５を冷媒が循環するように冷媒管（図示せず）で連結している。
【００３６】
送風手段２３により送風される乾燥用空気を循環風路２１に設けた吸熱器２５で冷却除湿し、放熱器２４で加熱して送風口２０から回転槽４へ供給し、排出口１９から循環風路２１に流入して循環する。
【００３７】
乾燥フィルタ２２は、乾燥用空気を導入する導入部２６と、導入した乾燥用空気を排気する排気部２７と、導入部２６から導入された乾燥用空気からリントを捕捉し回収するフィルタ部２８と、フィルタ部２８で捕捉されたリントをフィルタ部２８から除去するリント除去手段２９を有し、筐体２から取り外し可能に構成されている。
【００３８】
フィルタ部２８は、略半円筒形状に構成され、その一部がメッシュなどで構成される。リント除去手段２９は、フィルタ部２８に沿って内接するように螺旋形状に形成され、筐体２側に設けられたリント除去手段駆動モータ３０によって回転駆動する。リント除去手段駆動モータ３０の回転駆動は、駆動ギア３０ａと噛み合う従属ギア３０ｂを介してリント除去手段２９に減速して伝達され、フィルタ部２８に付着しているリントを掻き取り除去する。
【００３９】
図４に示すように、リント除去手段２９の回転駆動によってフィルタ部２８から掻き取られ、乾燥フィルタ２２から除去されたリントＬは、リント粉砕手段３１により細かく粉砕される。リント粉砕手段３１は、乾燥フィルタ２２から除去したリントを収容するリント収容室３１ａと、リント収容室３１ａ内のリントに水分を含ませる含水手段３２と、水分を含んだリントを細かく粉砕する電動カッター３３を備えている。
【００４０】
リント収容室３１ａは、乾燥フィルタ２２からリントが除去される出口側に隣接して設けてあり、フィルタ部２８の出口２８ａから落下し、リント収容室３１ａ内の底部に溜まるように構成されている。
【００４１】
含水手段３２は、フィルタ部２８の出口２８ａに近接して設けたノズル部３２ａと、ノズル部３２ａに給水する給水路３２ｂと、給水路３２ｂに設けた給水弁３２ｃを有し、リント除去手段２９によってリント収容室３１ａへ移送されたリントに水を噴射して水分を含ませる。給水路３２ｂは、洗濯給水経路１４から分岐している。
【００４２】
電動カッター３３は、リント収容室３１ａ内の底部に複数枚の回転刃３３ａを設け、この回転刃３３ａをカッター駆動モータ３３ｂにより回転駆動するようにしている。フィルタ部２８から除去されたリントは、リント収容室３１ａ内で電動カッター３３により細かく粉砕される。
【００４３】
リント粉砕手段３１のリント収容室３１ａは、排出路３４で洗濯排水経路１６に連通接続している。洗濯排水経路１６には、排水孔１５と洗濯排水弁１７との間に排水切替弁３５を設けている。排水孔１５と排水切替弁３５の間で、リント粉砕手段３１のリント収容室３１ａと連通する送水管３６を洗濯排水経路１６から分岐し、送水管３６に送水ポンプ３７を設けている。
【００４４】
排水切替弁３５を閉じることにより洗濯排水経路１６を遮断し、送水ポンプ３７の駆動により、送水管３６を通して水槽１内の洗濯水をリント粉砕手段３１のリント収容室３１ａへ送水することができる。リント収容室３１ａへ送られた洗濯水は、リント収容室３１
ａ内の粉砕されたリントを排出路３４を通して洗濯排水経路１６へ排出される。排出路３４は、排水切替弁３５と洗濯排水弁１７の間で洗濯排水経路１６に接続されている。
【００４５】
リント収容室３１ａには、送水ポンプ３７によって供給される洗濯水の水位を検知する水位検知手段３８を設けている。水位検知手段３８によって設定された水位を検知すると送水ポンプ３７の動作を停止し、水槽１内の洗濯水がリント収容室３１ａに所定量以上供給されないようにしている。
【００４６】
排出部３９は、リント収容室３１ａ内で電動カッター３３により粉砕され、設定した大きさより小さく粉砕されたリントが通過し、リント収容室３１ａから排出路３４へ排出する。
【００４７】
制御手段４０は、筐体２内の下方前部に配設され、モータ１０、洗濯給水弁１３、洗濯排水弁１７、送風手段２３、リント除去手段駆動モータ３０、給水弁３２ｃ、カッター駆動モータ３３ｂ、排水切替弁３５、送水ポンプ３７等を制御し、洗い、すすぎ、脱水、乾燥の各工程を逐次制御する。
【００４８】
以上のように構成された洗濯乾燥機について、以下その動作、作用を説明する。筐体２の前面上部に設けられた操作表示部４１から、運転コースの選択や各工程の時間を入力することにより、設定内容に基づいて、制御手段４０によって洗濯から乾燥までを一連の動作として実行することができ、また、乾燥工程のみを実行することも任意に選択することができる。
【００４９】
洗濯を行うときは、扉体１１を開いて回転槽４内に洗濯物５を投入し、操作表示部４１から運転コース等を入力して運転を開始することにより、洗濯給水経路１４から水槽１内に水および洗剤が供給され、モータ１０により回転槽４が回転駆動されて洗い工程が開始される。
【００５０】
回転槽４が所定の速度で回転することにより、洗濯物５が内周面の複数箇所に設けられた撹拌バッフル９によって回転方向に持ち上げられ、回転槽４内の上方から落下することによる、叩き洗いが所定時間繰り返されることにより洗濯が行われる。
【００５１】
洗い工程の後、すすぎ工程、脱水工程が実行されることにより洗濯は完了する。洗濯から乾燥までを続けて実行する運転コースを選択入力した場合は、洗い工程が完了すると、制御手段４０は、洗い工程、すすぎ工程、脱水工程に続いて乾燥工程を実行する。また、濡れた衣類等を乾燥させる場合は、乾燥工程のみを実行することができる。
【００５２】
乾燥工程においては、回転槽４内に脱水を終えた洗濯物５あるいは濡れた衣類（以下、衣類と称する）を収容して乾燥工程を実行すると、乾燥工程で設定された回転速度で回転槽４を回転して衣類を撹拌するとともに、送風手段２３およびヒートポンプ装置が駆動され、回転槽４内への乾燥用空気の送風循環が開始される。
【００５３】
ヒートポンプ装置は、圧縮機の作動により冷媒が圧縮され、この圧力により冷媒は圧縮機から管路を流れて放熱器２４、絞り手段、吸熱器２５、圧縮機を循環する。圧縮された冷媒の熱は放熱器２４に流入することにより、放熱器２４内に配設された管路に設けられたフィンに接する空気に放熱され、循環風路２１を流れる乾燥用空気が加熱される。
【００５４】
加熱された乾燥用空気は、送風口２０から回転槽４へ供給され、洗濯物５あるいは衣類から水分を奪い、湿った空気となって排出口１９から循環風路２１へ排出される。衣類等の乾燥の進行にともなって、衣類等から糸屑などのリントが発生する。排出口１９から排
出された乾燥用空気は、導入部２６から乾燥フィルタ２２に導入され、フィルタ部２８のメッシュがリントを捕捉する。
【００５５】
乾燥フィルタ２２でリントが除去された乾燥用空気は、絞り手段により減圧されて低圧となった冷媒が流れる吸熱器２５を通過する際に、顕熱と潜熱とが奪われて除湿され、除湿されることにより生じた結露水は貯水部（図示せず）に滴下し、除湿されて乾いた乾燥用空気は、放熱器２４を通過して加熱される。除湿された結露水は、洗濯排水経路１６を通って機外へ排水される。
【００５６】
衣類等の洗濯物５からのリントの発生は、衣類が濡れている乾燥開始時より、衣類の乾燥が進行するのにともなってリントの発生は多くなり、乾燥フィルタ２２に堆積する量が増加する。
【００５７】
乾燥フィルタ２２にリントが付着し堆積した状態で乾燥工程がおこなわれると、循環風路２１を循環する乾燥用空気が、乾燥フィルタ２２から下流側へ流れにくくなり、乾燥性能が低下するため、制御手段４０は、例えば乾燥運転の開始前、具体的には洗濯運転中に乾燥フィルタ２２に堆積したリントを除去する。
【００５８】
具体的には、リント除去手段２９は、フィルタ部２８に沿って内接する螺旋形状を備えており、制御手段４０は、リント除去手段駆動モータ３０を駆動させてリント除去手段２９を回動させる。
【００５９】
リント除去手段２９の螺旋形状がリントＬを掻き取る際、メッシュ上のリントＬにメッシュのラジアル方向とスラスト方向の力を与える。これらの力により、リントＬは、掻き取られながらリント除去手段２９の回転軸に沿う方向Ｚに移動していくため、掻き取ったリントＬが微細なものであっても、リント粉砕手段３１へと移送することができる。
【００６０】
制御手段４０は、リント除去手段２９を駆動している間、給水弁３２ｃを開放し、ノズル部３２ａから水を噴射する。リント除去手段２９の端部、すなわち、フィルタ部２８の出口２８ａまで移送されたリントＬは、ノズル部３２ａから噴射された水を吸水し、質量を増加させ、リント粉砕手段３１に落下し、リント収容室３１ａ内に収容される。ノズル部３２ａから噴射された水は、リント収容室３１ａ内に収容されたリントＬにも吸水される。
【００６１】
制御手段４０は、リント除去手段２９を所定時間駆動した後、カッター駆動モータ３３ｂを駆動させ、回転刃３３ａを回転させることでリントＬを細かく粉砕する。粉砕されたリントＬは、ノズル部３２ａから噴射された水により、排出部３９から排出路３４を流れて、洗濯排水経路１６の閉じられた洗濯排水弁１７で停止する。リント収容室３１ａの下部に設けた排出部３９は、所定の大きさに細かく粉砕されたリントＬが通過できるように構成している。
【００６２】
洗い工程が終わり、水槽１内に洗濯水が溜められている状態、または、すすぎ工程が終わり、水槽１内にすすぎ水が溜められている状態の、少なくともいずれかの水槽１内の洗濯水を送水ポンプ３７によってリント収容室３１ａへ送水する。
【００６３】
このとき、排水切替弁３５を閉じて洗濯排水弁１７を開放する。リント収容室３１ａ内の水と粉砕されたリントは、排出路３４を経て洗濯排水経路１６に至り、洗濯排水弁１７および排水フィルタ１８を通過して機外へ排出される。
【００６４】
水槽１内の洗濯水は、送水ポンプ３７によってリント収容室３１ａに送水され、リント
収容室３１ａ内のリントおよび排出路３４、洗濯排水弁１７、洗濯排水経路１６中のリントを洗い流して機外へと排出する。
【００６５】
所定の時間または量の送水が完了すると、送水ポンプ３７を停止して排水切替弁３５を開放する。これによって、水槽１内の洗濯水は、排水切替弁３５、洗濯排水弁１７および排水フィルタ１８を通過して機外へ排出される。
【００６６】
乾燥工程前の洗い工程またはすすぎ工程で、乾燥フィルタ２２に付着堆積したリントが除去された状態で乾燥工程をおこなうことができる。
【００６７】
水槽１内の洗濯水を、送水ポンプ３７によってリント粉砕手段３１に供給してリントを排出することにより、リント粉砕手段３１から流出する洗濯水の流速を最適に設定することができ、粉砕したリントを排出路３４および洗濯排水経路１６を通して、円滑に排出することができる。
【００６８】
また、リント粉砕手段３１で粉砕したリントを、すすぎ時の洗濯水で排出することにより、洗濯水に含まれる洗剤等がリント粉砕手段３１に流入し、リント収容室３１ａや排出路３４等に堆積するのを防止することができる。
【００６９】
以上のように、本実施の形態においては、筐体２内に弾性支持した水槽１と、水槽１内に回転可能に設けた回転槽４と、回転槽４を回転駆動するモータ１０と、水槽１内に洗濯水を供給する洗濯給水手段１３と、水槽１内の洗濯水を排水する洗濯排水手段１７と、洗濯排水手段１７を介して水槽１内の洗濯水を筐体２外へ排出する洗濯排水経路１６と、回転槽４内に乾燥用空気を導入する循環風路２１と、循環風路２１に送風する送風手段２３と、回転槽４内に導入する乾燥用空気を除湿する除湿手段２５と、除湿手段２５で除湿した乾燥用空気を加熱する加熱手段２４と、循環風路２１を通る乾燥用空気に含まれるリントを捕捉する乾燥フィルタ２２と、乾燥フィルタ２２で捕捉したリントを乾燥フィルタ２２から除去するリント除去手段２９と、リント除去手段２９で除去したリントを粉砕するリント粉砕手段３１とを備え、リント粉砕手段３１で粉砕したリントを水槽１内の洗濯水で排出するようにしたものであり、乾燥フィルタ２２から除去し粉砕したリントを、洗濯で使用した洗濯水で機外へ排出することができ、水道水等を新たに給水する必要がなく、洗濯後の捨てられる洗濯水を有効に利用して節水することができるとともに、リントによる排水経路の詰りを防止することができる。
【００７０】
なお、本実施の形態では、水槽１内の洗濯水を乾燥フィルタ２２から除去したリントを粉砕するリント粉砕手段３１へ送水する構成として、送水ポンプ３７によって水槽１から直接供給するようにしているが、貯水タンク（図示せず）に洗濯後に排水する洗濯水、或いは、すすぎ後に排水するすすぎ水を貯留することにより、リントを任意のタイミングで排出することができる。
【００７１】
これにより、水槽１内の洗濯水が排水されて溜められていないとき、例えば、乾燥工程終了後に、貯水タンクに貯留した水をリント粉砕手段３１へ送水して、リントの排出をおこなうことができるとともに、洗い、すすぎ、脱水の各工程を続けて実行することができる。
【００７２】
（実施の形態２）
図５は、本発明の第２の実施の形態における洗濯乾燥機の構成図である。本実施の形態の主たる特徴は、循環風路２１に設けた乾燥フィルタ２２と、乾燥フィルタ２２から除去したリントを粉砕するリント粉砕手段３１を水槽１の下方に配設し、リント粉砕手段３１に水槽１内の洗濯水を供給してリントを排出するようにしたものである。特徴部分以外の
他の構成は実施の形態１と同じであり、同一の構成に同一の符号を付して、詳細な説明は実施の形態１のものを援用する。
【００７３】
図５において、循環風路２１の一端を水槽１の後部上方に連通接続し、他端を水槽１の下方を通して水槽１の前部下方に連通接続し、循環風路２１を水槽１の下方に配設するとともに、循環風路２１に設けた乾燥フィルタ２２と、乾燥フィルタ２２から除去したリントを粉砕するリント粉砕手段３１を水槽１の下方に配設している。
【００７４】
水槽１の底部に設けた排水孔１５と水槽１内の洗濯水を排水する洗濯排水経路１６は、洗い時の洗濯水を排水する洗濯排水路４２と、すすぎ時の洗濯水を排水するすすぎ排水路４３の２経路で連通している。排水孔１５から排水される水槽１内の洗濯水は、分岐弁４４の開閉によって切替えられ、開時は、洗濯排水路４２と、すすぎ排水路４３のいずれかを通って洗濯排水経路１６に流れるように分岐弁４４によって切替えられる。
【００７５】
洗濯排水路４２は、洗濯排水弁１７の上流側で洗濯排水経路１６と連通し、すすぎ排水路４３には、循環風路２１に設けた乾燥フィルタ２２が位置するように構成している。分岐弁４４からすすぎ排水路４３を流れる洗濯水は、乾燥フィルタ２２のメッシュで捕捉されたリントを洗い流し、実質的にリント除去手段として作用する。
【００７６】
乾燥フィルタ２２の下方に、乾燥フィルタ２２からリントを洗い流した洗濯水が流入するリント粉砕手段３１を設けている。リント粉砕手段３１は、洗濯水とともに流入したリントを粉砕する電動カッター３３を設けている。
【００７７】
リント粉砕手段３１は、洗濯排水弁１７の上流側で洗濯排水路４２の出口と合流する。リント粉砕手段３１と洗濯排水路４２と合流部との間には、電磁弁等で構成した逆流防止弁４５が設けてあり、洗濯排水路４２を通って排水される洗濯水が、すすぎ排水路４３へ逆流しリント粉砕手段３１へ流入するのを防止している。
【００７８】
リント粉砕手段３１に水位検知手段３８が設けてあり、リント粉砕手段３１に流入した洗濯水が所定の水位まで上昇したことを検知すると、分岐弁４４を閉じて水槽１からの洗濯水の排水を停止し、洗濯水がリント粉砕手段３１から溢れて循環風路２１へ流入するのを防止するようにしている。
【００７９】
洗い工程が終わり、水槽１内の洗濯水を排水するときは、洗濯排水弁１７を開成するとともに、分岐弁４４を洗濯排水路４２側に切り替えて開くことにより、水槽１内の洗濯水は、洗濯排水路４２を通って洗濯排水経路１６に流出し、機外へ排出される。
【００８０】
洗い工程に続いて実行されるすすぎ工程が終わり、すすぎ工程で使用した水槽１内の洗濯水を排水するときは、分岐弁４４をすすぎ排水路４３側に切り替えて開くことにより、水槽１内の洗濯水は、すすぎ排水路４３に設けた乾燥フィルタ２２のリントが捕捉されている表面を流れ落ちる。
【００８１】
乾燥フィルタ２２は、循環風路２１を後方から前方へ矢印方向へ送風される乾燥用空気の流れと交差する略鉛直方向にリントを捕捉するメッシュが設けてあり、洗濯水がこのメッシュに沿って流れ落ちることによって、捕捉されたリントを洗い流してリント粉砕手段３１に流入する。乾燥フィルタ２２から除去されたリントは、リント粉砕手段３１で電動カッター３３により細かく粉砕された後、逆流防止弁４５を通過して洗濯排水経路１６へ流出する。
【００８２】
以上のように、本実施の形態においては、循環風路２１に設けた乾燥フィルタ２２と、
乾燥フィルタ２２で捕捉リントを洗濯水で除去したリントを粉砕するリント粉砕手段３１を水槽１の下方に配設し、リント粉砕手段３１に水槽１内の洗濯水を供給してリントを排出するようにしたものであり、水槽１から排出された洗濯水が排水路を流れる水流によってリントを排出することができる。
【００８３】
また、すすぎ排水路４３に乾燥フィルタ２２を設け、すすぎ時の洗濯水により、乾燥フィルタ２２で捕捉したリントを乾燥フィルタ２２から除去するとともに、リント粉砕手段３１で粉砕したリントを排出するようにしたものであり、乾燥フィルタ２２からのリントの除去と粉砕したリントの排出を、すすぎ時の洗濯水で行うことができるとともに、汚れや洗剤等が除去されたすすぎ時の洗濯水で、乾燥フィルタ２２からリントを除去することができるので、洗濯水に含まれる汚れや洗剤等が乾燥フィルタ２２に残留するのを防止することができる。
【００８４】
なお、逆流防止弁４５は、洗濯水が水槽１から洗濯排水弁１７へ一方向に流れ、逆方向の水流によって閉塞する可動弁により構成することも可能である。
【００８５】
また、すすぎ工程後の洗濯水は、常時すすぎ排水路４３を通して排出する必要はなく、すすぎ工程が複数回実行される場合は、少なくとも１回すすぎ排水路４３を通して排出されるようにすれば、乾燥フィルタ２２からリントを除去することができる。この場合は、最後のすすぎ工程後の洗濯水がすすぎ排水路４３を通るようにするのが望ましい。
【産業上の利用可能性】
【００８６】
以上のように、本発明にかかる洗濯乾燥機は、洗濯水を利用してリントを排出することができるとともに、乾燥フィルタから除去したリントによる排水経路の詰りを防止することができるので、洗濯乾燥機として有用である。
【符号の説明】
【００８７】
１  水槽
２  筐体
４  回転槽
１０  モータ
１３  洗濯給水弁（洗濯給水手段）
１６  洗濯排水経路
１７  洗濯排水弁（洗濯排水手段）
２１  循環風路
２２  乾燥フィルタ
２３  送風手段
２４  放熱器（加熱手段）
２５  吸熱器（除湿手段）
２９  リント除去手段
３１  リント粉砕手段
４０  制御手段
【図１】
2014057706.tif 000003
【図２】
2014057706.tif 000004
【図３】
2014057706.tif 000005
【図４】
2014057706.tif 000006
【図５】
2014057706.tif 000007
【図６】
2014057706.tif 000008